(57)【要約】      （修正有）【課題】フォークリフトの運転者がフォークを挿入穴に間違えることなく挿入することが出来るパレットを提供する。【解決手段】パレット１には、フォークリフトの前方へ延びるフォークが挿入する為の挿入穴２を貫通して設け、挿入穴２の入口付近にはフォークリフトの運転者が認識出来る目印３を形成している。【選択図】図１
0003232641.tif 000002
【実用新案登録請求の範囲】
【請求項１】
荷物や物品を載置してフォークリフトにて運搬するパレットにおいて、該パレットには上記フォークリフトの前方へ延びるフォークが挿入する為の挿入穴を貫通して設け、該挿入穴の入口付近にはフォークリフトの運転者（作業者）が認識出来る目印を形成したことを特徴とするフォークリフト用のパレット。
【請求項２】
上記目印として、挿入穴の入口下面に三角形目印を形成した請求項１記載のフォークリフト用のパレット。
【請求項３】
上記目印として、挿入穴の入口正面に直線状目印を形成した請求項１記載のフォークリフト用のパレット。
【請求項４】
荷物を載置してフォークリフトにて運搬するパネルにおいて、該パレットには上記フォークリフトの前方へ延びるフォークが挿入する為の挿入溝を貫通して設け、該挿入溝の入口付近にはフォークリフトの運転者（作業者）が認識出来る目印を形成したことを特徴とするフォークリフト用のパレット。
【請求項５】
上記目印として、蛍光塗料を用いて形成した請求項１、請求項２、請求項３、又は請求項４記載のフォークリフト用のパレット。
【考案の詳細な説明】
【技術分野】
【０００１】
本考案は荷物や物品を載置して運搬するフォークリフト用のパレットに関するものである。
【背景技術】
【０００２】
従来から荷物を運搬する場合、特に大きくて重い荷物であれば手に持って運ぶことが出来ず、その為に荷物をパレットに載置し、該パレットごとフォークリフトにて持ち上げて運搬している。
図５は従来から使用されているパレット（イ）を示している外観図であり、（ａ）は平面図、（ｂ）は正面図をそれぞれ表わしている。
【０００３】
該パレット（イ）の正面には２つの挿入穴（ロ）、（ロ）が対を成して設けられ、挿入穴（ロ）、（ロ）は背面側まで貫通している。挿入穴（ロ）、（ロ）は正面だけでなく、左右側面にも挿入穴（ロ）、（ロ）が貫通している。したがって、パレット（イ）の４側面には貫通した挿入穴（ロ）、（ロ）・・・が設けられ、その為に荷物を載置したパレット（イ）を全ての４方向からフォークを挿入して運搬することが出来る。
【０００４】
ところで、フォークリフトに乗った作業者は、ハンドルを操作して前方へ延びているフォークを上記パレット（イ）の挿入穴（ロ）、（ロ）に差し込むが、作業者は誤って正面（ハ）に当ててしまう。従って、パレット（イ）の正面（ハ）はキズ付き、時にはパレット（イ）に重い荷物が載っている場合には、フォーク先端が当たった場合の衝撃が大きくて破損することもある。衝撃の反力はフォークリフトにも作用し、該フォークリフトが故障する場合もある。
【０００５】
図６は従来の一般的なフォークリフト（ニ）を表している具体例である。該フォークリフト（ニ）は２個の前車輪（ホ）、（ホ）と２個の後車輪（ヘ）、（ヘ）を有し、後車輪（ヘ）、（ヘ）はその向きが変化してフォークリフト（ニ）の進行方向を変えることが出来る。
フォークリフト（ニ）は正面に垂直に起立する２本のガイド支柱（ト）、（ト）を有し、ガイド支柱（ト）、（ト）には昇降部材（ト）が取付けられて、昇降動することが出来る。
【０００６】
そして、上記昇降部材（チ）には所定の間隔をおいて前方へ延びる２本のフォーク（リ）、（リ）が取付けられ、該フォーク（リ）、（リ）は昇降部材（チ）と共に昇降動することが出来る。
ところで、フォークリフト（ニ）を操作する作業者（運転者）は、両フォーク（リ）、（リ）の間隔を調整し、すなわち、パレット（イ）の両挿入穴（ロ）、（ロ）に嵌る間隔としてフォークリフト（ニ）を前進移動して差し込むことが出来る。
フォークリフト（ニ）の運転席は高くてパレット（イ）の挿入穴（ロ）、（ロ）は分かりにくく、挿入穴（ロ）、（ロ）を見誤ることが多い。
【０００７】
従来、パレットに関する出願も数多くなされている。
特開２０２０−５９５４２号に係る「パレット」は、脚部の破損が抑制されるようにしたパレットである。
該パレットは、樹脂成形体と補強材を備え、前記樹脂成形体は、貨物が載置されるパネル部と、前記パネル部から下方に突出する複数の脚部を備え、前記複数の脚部のうちの隣接する２つの間に、フォークリフトのフォークが挿入されるフォーク挿入路が設けられている。脚部は、前記フォーク挿入路の挿入口に隣接した隣接部位が前記補強材で覆われて補強されている。
【０００８】
実用新案登録第３２２４５８３号に係る「フォークリフトのガイド表示装置」は、フォークリフトのガイド表示装置である。
フォークリフトの２本の爪及び爪同士を連結している桟に照明装置が設置され、前記装置のライトからレンズを介してガイドの光帯をパレットの爪挿入口に照射することができ、前記ガイド光帯は、マストの垂直検出装置から出力された信号により点灯することが出来る。
【０００９】
実用新案登録第３１６５１０１号に係る「ＬＥＤランプ装置を備えたフォークリフト」は、荷物をフォークで取り出す作業時において、パレットへの差し込みを正確に行うことができて、荷物やパレットの破損防止に役立つＬＥＤランプ装置を備えたフォークリフトである。
すなわち、フォークリフト車体に立設したマストに沿ってリフトブラケットとフォークを昇降させるマスト装置、及び前記リフトブラケットに設置されたＬＥＤランプ装置を備えてなるフォークリフトであり、ＬＥＤランプ装置は、ＬＥＤ光通過ラインがフォーク上面とフォーク下面の間になるように位置し、かつ、ＬＥＤランプから放射されたＬＥＤ光がフォーク上面に平行に放射されるように設置されている。
【００１０】
【特許文献１】特開２０２０−５９５４２号に係る「パレット」
【特許文献２】実用新案登録第３２２４５８３号に係る「フォークリフトのガイド表示装置」
【特許文献３】実用新案登録第３１６５１０１号に係る「ＬＥＤランプ装置を備えたフォークリフト」
【考案の開示】
【考案が解決しようとする課題】
【００１１】
このように、従来から色々なパレットが知られており、上記のようにフォークが正しく挿入穴に嵌るようにしたり、またフォーク先端が当たっても破損しないようにしたパレットは存在している。
本考案が解決しようとする課題は従来のパレットとは別な手段によって構成し、フォークリフトの作業者が誤ってフォークの先端がパレット正面に衝突することなく、挿入穴に正しく差し込むことが出来るパレットを提供する。
【課題を解決するための手段】
【００１２】
本考案に係るパレットは重い荷物や物品を載置し、該荷物はパレットと共にフォークリフトで持ち上げて運搬することが出来る。その形状は四角形を成し、一般には正方形や長方形をした板状態であり、重い荷物を載置してフォークリフトで持ち上げることが出来るに必要な厚さを有している。
パレットとしての外観（全体形状）は従来のパレットと共通し、四方側面には対を成す２つの挿入穴が貫通して設けている。
【００１３】
そして、その材質は樹脂製、木製、金属製、又は紙製とし、樹脂製のパレットは一般に射出成形され、木製のパレットの場合は複数の木材を組み合わせて構成している。
該パレットは四方の側面に対を成す２つの挿入穴が貫通した状態で設けられているが、該挿入穴は横長の長方形断面の穴であり、フォークリフトのフォークが嵌るに十分な寸法としている。そして、挿入穴の周りには目印が形成され、高い位置の運転席に座っている作業者（運転者）の目に留まり易くなっている。ただし、目印の具体的な形状は限定しない。
【考案の効果】
【００１４】
本考案に係るパレットは重い荷物や物品を載置し、該荷物と共にパレットはフォークリフトによって運ばれるが、この際、パレット正面に設けた挿入穴付近には目印が設けられている。したがって、作業者はフォークを間違えることなく挿入穴に挿入することが出来る。
フォーク先端がパレット正面に衝突することはなく、その為にフォークによってパレットがキズ付くことはなく、勿論、破損することはない。また、フォーク先端は挿入穴に差し込まれることで、パレット正面に当たることがない為に、パレットに載置される荷物が崩れたり、倒れることはなく、荷物を安全に運ぶことが出来る。
【図面の簡単な説明】
【００１５】
【図１】フォークが挿入する挿入穴の入口付近に目印を形成した本考案に係るパレットを示す実施例。
【図２】フォークが挿入する挿入穴の入口付近に目印を形成した本考案に係るパレットを示す実施例。
【図３】フォークが挿入する挿入穴の入口付近に目印を形成した本考案に係るパレットを示す実施例。
【図４】フォークが挿入する挿入溝の入口付近に目印を形成した本考案に係るパレットを示す実施例。
【図５】従来の一般的なパレットを示す具体例。
【図６】従来の一般的なフォークリフト。
【考案を実施するための形態】
【００１６】
図１は本考案のパレット１を示す実施例であり、正面からの斜視図を表わしている。該パレット１は樹脂を材料とした射出成形品であり、長方形又は正方形の板状態で、四方の側面には対を成す２つの挿入穴２，２・・・が貫通した状態で設けられている。
挿入穴２は横長の長方形断面の穴であり、フォークリフトのフォークが嵌るに十分な縦・横寸法としている。そして、挿入穴２，２の入口底面には三角形の目印３，３を形成しており、該三角形の目印３，３はフォークリフトの運転席に座っている作業者の目に留まるように成っている。
ところで、上記フォークリフトの型式は色々あるが、本考案では具体的な形態は問わないことにする。
【００１７】
図２は本考案のパレット１を示す他の実施例であり、正面からの斜視図を表わしている。
該パレット１は前記図１に示すパレット１と同じく、樹脂を材料とした射出成形品であり、長方形又は正方形の板状態で、四方の側面には対を成す２つの挿入穴２，２・・・が貫通した状態で設けられている。
挿入穴２は横長の長方形断面の穴であり、フォークリフトのフォークが嵌るに十分な縦・横寸法としている。そして、挿入穴２，２の入口底板正面には直線状の目印４，４を形成しており、該直線状目印４，４はフォークリフトの運転席に座っている作業者の目に留まるように成っている。
【００１８】
図３は本考案のパレット１を示す更なる別の実施例であり、正面からの斜視図を表わしている。
該パレット１は前記図１、図２に示すパレット１と同じく、樹脂を材料とした射出成形品であり、長方形又は正方形の板状態で、四方の側面には対を成す２つの挿入穴２，２・・・が貫通した状態で設けられている。挿入穴２は横長の長方形断面の穴であり、フォークリフトのフォークが嵌るに十分な縦・横寸法としている。そして、挿入穴２，２の入口上板正面には直線状の目印５，５を形成しており、該直線状目印５，５はフォークリフトの運転席に座っている作業者の目に留まるように成っている。
【００１９】
ところで、図１、図２、図３に示しているパレット１は、所々に溝穴６，６・・・を形成しているが、これら各溝穴６，６・・・の有無、また溝穴６，６・・・の形状、並びに溝穴６，６・・・の位置は自由であり、本考案は溝穴６，６・・・に関して限定はしない。
また、パケットの一般的な形態として、フォークが挿入される挿入穴が貫通して設けられるが、挿入穴ではなく挿入溝とする場合もある。
【００２０】
図４はパレット７を示す本考案の実施例であり、対を成す挿入溝８，８を貫通して設けている。そして、該挿入溝８，８の入口上板正面には直線状の目印５，５を形成している。
上記実施例で示した目印は三角形及び直線であるが、他の形状としてもよい。例えば、挿入穴２の入口の全周辺に形成される目印とすることも可能であり、また、薄暗くても目に留まり易いように蛍光塗料にて目印を作る場合もある。
【符号の説明】
【００２１】
１   パレット
２   挿入穴
３   三角形目印
４   直線状目印
５   直線状目印
６   溝穴
７   パレット
８   挿入溝
【図１】
0003232641.tif 000003
【図２】
0003232641.tif 000004
【図３】
0003232641.tif 000005
【図４】
0003232641.tif 000006
【図５】
0003232641.tif 000007
【図６】
0003232641.tif 000008
【手続補正書】
【提出日】令和3年4月23日(2021.4.23)
【手続補正１】
【補正対象書類名】実用新案登録請求の範囲
【補正対象項目名】全文
【補正方法】変更
【補正の内容】
【実用新案登録請求の範囲】
【請求項１】
荷物や物品を載置してフォークリフトにて運搬するパレットにおいて、該パレットには上記フォークリフトの前方へ延びるフォークが挿入する為の挿入穴を貫通して設け、該挿入穴の入口付近にはフォークリフトの運転者が認識出来る目印を形成したことを特徴とするフォークリフト用のパレット。
【請求項２】
上記目印として、挿入穴の入口下面に三角形目印を形成した請求項１記載のフォークリフト用のパレット。
【請求項３】
上記目印として、挿入穴の入口正面に直線状目印を形成した請求項１記載のフォークリフト用のパレット。
【請求項４】
荷物を載置してフォークリフトにて運搬するパレットにおいて、該パレットには上記フォークリフトの前方へ延びるフォークが挿入する為の挿入溝を貫通して設け、該挿入溝の入口付近にはフォークリフトの運転者が認識出来る目印を形成したことを特徴とするフォークリフト用のパレット。
【請求項５】
上記目印として、蛍光塗料を用いて形成した請求項１、請求項２、請求項３、又は請求項４記載のフォークリフト用のパレット。